(57)【要約】      （修正有）【課題】マイナスイオン放電針の構造を提供する。【解決手段】主に一つのリング部１１で構成するマイナスイオン放電針１の構造である。リング部はマイナスイオン発生器２と電気接続し、リング部は第一リング縁１１１及び第二リング縁１１２を具有し、複数個の放電部１２はそれぞれ第一リング縁より、外向けに突出し、マイナスイオンを発生する。放電針を使用する乾燥機は一つのケース本体を具有し、ケース本体の内部に一つの発熱ユニットを具有する。発熱ユニットの後端に一つの送風ユニットを設ける。発熱ユニットに一つの第一定位部を設けることで、マイナスイオン発生器を定位する。第一定位部の前端に一つの第二定位部を設けることで、マイナスイオン放電針を定位し、発熱ユニットによって発生する熱気を吹き出すと同時に、マイナスイオンをケース本体の前端にある吹き出し口より外向けに吹き出す。【選択図】図１
0003215419.tif 000002
【実用新案登録請求の範囲】
【請求項１】
一つのリング部を含み、マイナスイオン発生器と電気接続することでマイナスイオンを発生し、その改良特徴は：
該マイナスイオン放電部は一つのリング部を具有し、該リング部は該マイナスイオン発生器と電気接続し、該リング部は一つの第一リング縁及び同軸で該第一リング縁と反対側にある一つの第二リング縁を具有し、複数個の放電部はそれぞれ該第一リング縁より、該第一リング縁から離れる方向に向けて同軸で外向けに突出することを特徴とするマイナスイオン放電針の構造。
【請求項２】
前記該複数個の放電部はリング形陣列状に該第一リング縁に排列することを特徴とする請求項１記載のマイナスイオン放電針の構造。
【請求項３】
一つのケース本体、一つのマイナスイオン発生器及び一つのマイナスイオン放電針を含み、
該ケース本体の内部に一つの発熱ユニット及び一つの送風ユニットを具有し、該送風ユニットは該発熱ユニットの後端に位置し、該発熱ユニットによって発生する熱気を、該ケース本体前端にある一つの吹き出し口より外向けに吹き出すためのものであり、該発熱ユニットに一つの第一定位部及び一つの第二定位部を設け、一つのマイナスイオン発生器を該第一定位部に定位し、及び、一つのマイナスイオン放電針を該第二定位部に定位し、且つ該マイナスイオン放電針は該マイナスイオン発生器と電気接続し、マイナスイオンを発生することを特徴とする請求項１記載のマイナスイオン放電針の乾燥機の構造。
【請求項４】
前記該第二定位部は該第一定位部の前方に位置し、且つ該マイナスイオン放電針の該複数個の放電部の尖端は該吹き出し口に向けることを特徴とする請求項３記載の乾燥機の構造。
【請求項５】
前記該発熱ユニットに含まれるのは一つの十字型絶縁支持枠及び絶縁支持枠と接続する少なくとも一本の電熱線であり、該第一定位部は該十字型絶縁支持枠が交差する後端の定位槽に形成し、該第二定位部は該十字型絶縁支持枠が交差する前端の定位槽に形成することを特徴とする請求項３或いは請求項４記載の乾燥機の構造。
【考案の詳細な説明】
【技術分野】
【０００１】
本考案は一種のマイナスイオン放電針及び該放電針を使用する乾燥機の構造に関し、特に一種の高い効果を安定して保ち、且つ持続して均等にマイナスイオンを発射でき、空気加熱機或いはドライヤーに適用するマイナスイオン放電針及び該放電針を使用する乾燥機の構造に関する。
【背景技術】
【０００２】
一般的に家庭で使用するドライヤーの機能は、髪の毛を乾かす以外になく、その原理は主に空気が一つの発熱体を通過することで、空気の温度が高くなり、更に熱した空気を濡れた髪の毛に渡らせ、乾かす効果に達する。
【０００３】
市場において、多用途の製品はもはや趨勢であり、選択肢の一つである。機能性及び健康ともに考慮できるものであれば、消費者にとって幸福なことだけでなく、購買意欲をも掻き立てる。その中、ドライヤーにマイナス発生器を設置し、マイナスイオン放電針を接続することで、マイナスイオンを発生するマイナスイオンドライヤーは、機能的に乾かす効果があるほか、マイナスイオンを具有する空気を発生させ、静電気、空気中の荷電粒子及びホコリを取り除き、大幅に髪の毛のしなやかさを改善し、保湿に有効であり、枝毛を防止すると共に、皮膚の血液循環及び新陳代謝を改善することで、皮膚がより潤う。
【０００４】
上述のマイナスイオンドライヤーは主に単針のマイナスイオン放電針によりコロナ放電を形成してマイナスイオンを発生させる。実際使用する際、放電が中断する可能性があり、多くのマイナスイオンを発生できないだけでなく、風が出る際に、マイナスイオンを持続して均等的に外向けに送ることができないことを鑑みて、更なる改善が必要であった。
【先行技術文献】
【特許文献】
【０００５】
【特許文献１】実用新案登録第3167476号公報
【考案の概要】
【考案が解決しようとする課題】
【０００６】
前記公知構造の従来のドライヤーが単針を使用して放電する問題を解決し、多くのマイナスイオンを発生させ、且つ風が出る際に、マイナスイオンを安定、持続、且つ均等に外向けに出せるマイナスイオン放電針及び該放電針を使用する乾燥機の構造を提供することを主な課題とする。
【課題を解決するための手段】
【０００７】
前記課題を解決するために、本考案はマイナスイオン放電針及び該放電針を使用する乾燥機の構造を提供するものである。本考案で設けるマイナスイオン放電針は、マイナスイオン発生器と電気接続し、マイナスイオンを発生する。その主な技術特徴は：該マイナスイオン放電針は一つのリング部を具有し、リング部はマイナスイオン発生器と電気接続する。リング部は第一リング縁及び同軸で第一リング縁と反対側にある第二リング縁を具有する。複数個の放電部はそれぞれ第一リング縁より、第一リング縁から離れる方向に向けて同軸で外向けに突出する。
【０００８】
実施する際、該複数個の放電部はリング形陣列状に第一リング縁に排列する。
【０００９】
本考案の乾燥機に含まれるのは一つのケース本体、一つのマイナスイオン発生器及び一つのマイナスイオン放電針である。その中、該ケース本体の内部に一つの発熱ユニット及び一つの送風ユニットを具有し、送風ユニットは発熱ユニットの後端に位置し、発熱ユニットによって発生する熱気を、ケース本体前端にある吹き出し口より外向けに吹き出すためのものである。発熱ユニットに第一定位部及び第二定位部を設ける。該マイナスイオン発生器を第一定位部に定位し、及び、該マイナスイオン放電針を第二定位部に定位し、且つマイナスイオン放電針はマイナスイオン発生器と電気接続し、マイナスイオンを発生する。
【００１０】
実施する際、該第二定位部は第一定位部の前方に位置し、且つマイナスイオン放電針の複数個の放電部の尖端は吹き出し口に向ける。
【００１１】
実施する際、該発熱ユニットは一つの十字型絶縁支持枠及び絶縁支持枠と接続する少なくとも一本の電熱線を含む。第一定位部は十字型絶縁支持枠が交差する後端の定位槽に形成し、第二定位部は該十字型絶縁支持枠が交差する前端の定位槽に形成する。
【考案の効果】
【００１２】
本考案の構造により、多くのマイナスイオンを発生させ、且つ風が出る際に、マイナスイオンを安定、持続、且つ均等に外向けに出す効果がある。
【図面の簡単な説明】
【００１３】
【図１】本考案のマイナスイオン放電針の最良実施例のマイナスイオン発生器に接続した時の立体外観略図である。
【図２】本考案の乾燥機の最良実施例の組合断面図である。
【図３】本考案の乾燥機の最良実施例の使用状態図である。
【考案を実施するための形態】
【００１４】
以下、本考案の構造と特徴および効果を、最良実施例と図面を参照しながら詳細に説明する。
【実施例】
【００１５】
図１に示すのは、本考案のマイナスイオン放電針１の最良実施例である。その中、該マイナスイオン放電針１は一つの短いリング状のリング部１１を具有し、リング部１１は一つの第一リング縁１１１及び同軸で第一リング縁１１１と反対側にある一つの第二リング縁１１２を具有する。第一リング縁１１１に複数個のリング形陣列状に排列する尖型放電部１２を設置し、実施する際、放電部１２はその他の突出した形状にすることもできる。複数個の放電部１２はそれぞれ第一リング縁１１１より、第一リング縁１１１から離れる方向に向けて同軸で外向けに突出する。第二リング縁１１２は一本或いは一本以上の数量の導電線が一つのマイナスイオン発生器２と電気接続し、高電圧により複数個の放電部１２にそれぞれコロナ放電を形成してマイナスイオンを発生する。
【００１６】
図２に示すのは、本考案が上述のマイナスイオン放電針１を使用する乾燥機３の最良実施例である。該乾燥機３は一つのドライヤーである。実施する際、該乾燥機３はその他の形状の空気加熱機とすることもできる。該ドライヤーは主に一つのケース本体３１、一つの発熱ユニット３２、一つの送風ユニット３３、一つのマイナスイオン発生器２及び一つのマイナスイオン放電針１を含む。その中、ケース本体３１の底部より下向けに一つの持ち手３１１を延伸し、ケース本体３１はやや長いタル型を呈し、その前後の両端にそれぞれ一つの吹き出し口３１２及び一つの吸い込み口３１３を形成する。
【００１７】
発熱ユニット３２、送風ユニット３３及びマイナスイオン発生器２はそれぞれ一つのスイッチ３１４及び一つの外付け電源３１５と電気接続する。その中、発熱ユニット３２は一つの十字型絶縁支持枠３２１及び絶縁支持枠３２１と接続する少なくとも一本の電熱線３２２を具有する。絶縁支持枠３２１が交差する部分の後端に一つの定位槽を具有し、該定位槽は第一定位部３２３とする。絶縁支持枠３２１が交差する部分の前端に別の一つの定位槽を具有し、該定位槽は第二定位部３２４とする。送風ユニット３３は一つのモーターによって起動する送風機であり、送風ユニット３３は発熱ユニット３２の後端に位置する。マイナスイオン発生器２を第一定位部３２３に定位し、マイナスイオン放電針１を第二定位部３２４に定位し、且つマイナスイオン放電針１の複数個の放電部１２の尖端はケース本体３１の前端にある吹き出し口３１２に向けている。
【００１８】
上記により、図３に示すように、ユーザーがスイッチ３１４を入れて発熱ユニット３２を通電して発熱する際、送風ユニット３３の運転により、ケース本体３１の後方にある空気は吸い込み口３１３を通り、ケース本体３１の前方の方向に向けて流れ、且つ発熱ユニット３２が発生した熱気をケース本体３１の前方にある吹き出し口３１２より外に吹き出す。マイナスイオン発生器２が通電し、且つ複数個の放電部１２が同時に放電することで、安定した高い効果を保ち、且つ持続して均等なマイナスイオンを発生した後、熱い気流と共にケース本体３１前方にある吹き出し口３１２より外に吹き出し、静電気、空気中の荷電粒子及びホコリを取り除き、且つ大幅に髪の毛のしなやかさを改善し、保湿に有効であり、枝毛を防止すると共に、皮膚の血液循環及び新陳代謝を改善することで、皮膚がより潤う効果に達する。
【００１９】
上述に掲示する内容により、本考案はユーザーが冷風、熱風を当てると同時に、多くのマイナスイオンを発生させることができ、且つマイナスイオンを安定して、持続且つ均等に外向けに吹き出させるマイナスイオン放電針及び該放電針を使用する乾燥機である。
【００２０】
以上の最良の具体的な実施例は、本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２１】
１  マイナスイオン放電針
１１  リング部
１１１  第一リング縁
１１２  第二リング縁
１３  放電部 
２  マイナスイオン発生器
３  乾燥機 
３１  ケース本体
３１１  持ち手
３１２  吹き出し口
３１３  吸い込み口
３１４  スイッチ
３１５  外付け電源 
３２  発熱ユニット
３２１  絶縁支持枠 
３２２  電熱線
３２３  第一定位部 
３２４  第二定位部
３３  送風ユニット
【図１】
0003215419.tif 000003
【図２】
0003215419.tif 000004
【図３】
0003215419.tif 000005
【手続補正書】
【提出日】平成30年1月19日(2018.1.19)
【手続補正１】
【補正対象書類名】実用新案登録請求の範囲
【補正対象項目名】全文
【補正方法】変更
【補正の内容】
【実用新案登録請求の範囲】
【請求項１】
一つのリング部を含み、マイナスイオン発生器と電気接続することでマイナスイオンを発生し、その改良特徴は：
マイナスイオン放電部は一つのリング部を具有し、該リング部は該マイナスイオン発生器と電気接続し、該リング部は一つの第一リング縁及び同軸で該第一リング縁と反対側にある一つの第二リング縁を具有し、複数個の放電部はそれぞれ該第一リング縁より、該第一リング縁から離れる方向に向けて同軸で外向けに突出することを特徴とするマイナスイオン放電針の構造。
【請求項２】
前記該複数個の放電部はリング形陣列状に該第一リング縁に配列することを特徴とする請求項１記載のマイナスイオン放電針の構造。
【請求項３】
一つのケース本体、一つのマイナスイオン発生器及び一つのマイナスイオン放電針を含み、
該ケース本体の内部に一つの発熱ユニット及び一つの送風ユニットを具有し、該送風ユニットは該発熱ユニットの後端に位置し、該発熱ユニットによって発生する熱気を、該ケース本体前端にある一つの吹き出し口より外向けに吹き出すためのものであり、該発熱ユニットに一つの第一定位部及び一つの第二定位部を設け、一つのマイナスイオン発生器を該第一定位部に定位し、及び、一つのマイナスイオン放電針を該第二定位部に定位し、且つ該マイナスイオン放電針は該マイナスイオン発生器と電気接続し、マイナスイオンを発生することを特徴とする請求項１記載のマイナスイオン放電針の構造を内蔵する乾燥機の構造。
【請求項４】
前記該第二定位部は該第一定位部の前方に位置し、且つ該マイナスイオン放電針の該複数個の放電部の尖端は該吹き出し口に向けることを特徴とする請求項３記載の乾燥機の構造。
【請求項５】
前記該発熱ユニットに含まれるのは一つの十字型絶縁支持枠及び絶縁支持枠と接続する少なくとも一本の電熱線であり、該第一定位部は該十字型絶縁支持枠が交差する後端の定位槽に形成し、該第二定位部は該十字型絶縁支持枠が交差する前端の定位槽に形成することを特徴とする請求項３或いは請求項４記載の乾燥機の構造。